(57)【要約】【課題】アンテナパターン１４及びアンテナ出力端子１６とほぼ同じ形状のアンテナを窓ガラスに転写できるアンテナ転写用具を提供する。【解決手段】セパレータ１０のシリコン処理１２した面に、アンテナとほぼ同じ形状に第１の糊層１８を設け、その上に同じ形状で透明なベースクリア２０を積層し、その上に導電薄膜でアンテナを形成し、さらにその上にアンテナパターン１４を覆う透明なトップクリア２２を積層する。アプリケーションフイルム２４の一面の全面にに第２の糊層２６を設け、これをセパレータ１０に貼着して構成される。第１の糊層１８とアンテナがアプリケーションフイルム２４側に移行するようにセパレータ１０からアプリケーションフイルム２４を剥離し、これを転写すべき窓ガラスの面に押し当てて第１の糊層１８でアンテナを貼着し、さらにアプリケーションフイルム２４を窓ガラスから剥離して、アンテナを窓ガラスに転写する。【選択図】  図２
2006157325.tif 000002
【特許請求の範囲】
【請求項１】
フイルム状のセパレータの一面に、アンテナパターン及びアンテナ出力端子とほぼ同じ形状に第１の糊層を設け、この第１の糊層の上に導電薄膜からなる前記アンテナパターン及びアンテナ出力端子を形成し、アプリケーションフイルムの一面に前記第１の糊層よりも粘着力の弱い第２の糊層を設け、前記アプリケーションフイルムを前記アンテナパターン及びアンテナ出力端子を覆うように前記セパレータに貼着して構成したことを特徴とするアンテナ転写用具。
【請求項２】
フイルム状のセパレータの一面に、アンテナパターン及びアンテナ出力端子とほぼ同じ形状で第１の糊層を設け、前記第１の糊層の上に前記アンテナパターン及びアンテナ出力端子とほぼ同じ形状で絶縁材からなる透明なベースクリアを積層し、前記ベースクリアの上に導電薄膜からなる前記アンテナパターン及びアンテナ出力端子を形成し、前記アンテナパターンを覆うように絶縁材からなる透明なトップクリアを積層し、アプリケーションフイルムの一面に前記第１の糊層よりも粘着力の弱い第２の糊層を設け、前記アプリケーションフイルムを前記アンテナパターン及びアンテナ出力端子を覆うように前記セパレータに貼着し、前記アプリケーションフィルムの１つの隅部を前記アプリケーションフイルムが前記セパレータに前記第２の糊層で貼着されないようになし、また前記ベースクリアを前記アンテナパターン及びアンテナ出力端子とほぼ同じ形状に加えて前記第１の隅部に近い位置に舌部を一体に設けた形状とし、前記舌部が前記セパレータに前記第１の糊層で貼着されないように構成したことを特徴とするアンテナ転写用具。
【請求項３】
請求項２記載のアンテナ転写用具において、前記ベースクリアの前記舌部に近くない位置にある前記アプリケーションフイルムの第２の隅部を、前記アプリケーションフイルムが前記セパレータに前記第２の糊層で貼着されないように構成したことを特徴とするアンテナ転写用具。
【請求項４】
請求項３記載のアンテナ転写用具において、前記第２の隅部に近い位置で、前記アプリケーションフイルムが前記トップクリアに前記第２の糊層で貼着されないように構成したことを特特徴とするアンテナ転写用具。
【請求項５】
請求項２記載のアンテナ転写装置において、前記セパレータの一面にシリコン処理を行い、前記シリコン処理した面に前記第１の糊層を設けて構成したことを特徴とするアンテナ転写用具。
【請求項６】
請求項２記載のアンテナ転写用具において、前記セパレータと前記アプリケーションフイルムが透明のフイルムで形成され、前記第１の隅部に色彩を施して構成したことを特徴とするアンテナ転写用具。
【請求項７】
請求項１記載のアンテナ転写用具を用い、まず前記第１の糊層と前記アンテナパターン及びアンテナ出力端子が前記アプリケーションフイルム側に貼着するようにして前記セパレータから前記アプリケーションフイルムを剥離し、次にアンテナを転写すべき面に前記セパレータから剥離された前記アプリケーションフイルムを押し当てて前記アンテナパターン及びアンテナ出力端子を強く擦って前記第１の糊層で前記転写すべき面に転写させ、さらに前記転写すべき面に前記アンテナパターン及びアンテナ出力端子を前記第１の糊層で貼着させた状態で前記アプリケーションフイルムを前記転写すべき面から剥離してアンテナを配設することを特徴とするアンテナの配設方法。
【発明の詳細な説明】
【技術分野】
【０００１】
本発明は、車両の窓ガラスなどにアンテナを転写して配設するために用いられるアンテナ転写用具、及び車両の窓ガラスなどにアンテナを転写して配設する方法に関するものである。
【背景技術】
【０００２】
従来より車両の窓ガラスなどに貼着して用いるフイルムアンテナが知られている。この従来のフイルムアンテナは、基台としての透明フイルム上に導電薄膜によりアンテナパターン及びアンテナ出力端子が形成されたものであり、視界を妨げないように窓ガラスの周縁部に透明フイルムが貼着されて用いられる。その構造の一例が、特開２００４−３２６４４号公報に示されている。
【特許文献１】特開２００４−３２６４４号公報
【発明の開示】
【発明が解決しようとする課題】
【０００３】
上述の従来のフイルムアンテナにあっては、基台としての透明フイルムの面積が、アンテナパターン及びアンテナ出力端子の形状に比較して極めて広く設けられている。そこで、広い面積の透明フイルムを窓ガラスに貼着する際に、窓ガラスと透明フイルムの間に空気を挟み込むで閉じこめる虞があり、これを防止するために希釈した石鹸水などの界面活性剤を透明フイルムが貼着される窓ガラスに予め塗布する必要があり、作業が繁雑であった。また、基台としてのフイルムは透明であるが、窓ガラスのフイルムが貼着された部分と貼着されない部分とでは、光の照射状況や光の屈折の相違などにより、透明フイルムの存在が気になる場合があった。さらに、透明フイルムの縁からはみ出した貼着用の糊に塵埃が付着して透明フイルムの縁に黒い線が生ずる場合もあり、かかる理由によっても、透明フイルムの存在が気になる場合があった。そこで、窓ガラスに貼着するアンテナは、アンテナパターン及びアンテナ出力端子とほぼ同じ形状と大きさであることが望まれる。
【０００４】
本発明は、上述のごとき事情に鑑みてなされたもので、アンテナパターン及びアンテナ出力端子とほぼ同じ形状と大きさで、窓ガラスなどに転写して用い、しかも転写する際にアンテナパターンなどを破損させることのないアンテナ転写用具と、該用具を用いて窓ガラスなどにアンテナを転写して配設する方法を提供することを目的とする。
【課題を解決するための手段】
【０００５】
かかる目的を達成するために、本発明のアンテナ転写用具は、フイルム状のセパレータの一面に、アンテナパターン及びアンテナ出力端子とほぼ同じ形状に第１の糊層を設け、この第１の糊層の上に導電薄膜からなる前記アンテナパターン及びアンテナ出力端子を形成し、アプリケーションフイルムの一面に前記第１の糊層よりも粘着力の弱い第２の糊層を設け、前記アプリケーションフイルムを前記アンテナパターン及びアンテナ出力端子を覆うように前記セパレータに貼着して構成されている。
【０００６】
また、フイルム状のセパレータの一面に、アンテナパターン及びアンテナ出力端子とほぼ同じ形状で第１の糊層を設け、前記第１の糊層の上に前記アンテナパターン及びアンテナ出力端子とほぼ同じ形状で絶縁材からなる透明なベースクリアを積層し、前記ベースクリアの上に導電薄膜からなる前記アンテナパターン及びアンテナ出力端子を形成し、前記アンテナパターンを覆うように絶縁材からなる透明なトップクリアを積層し、アプリケーションフイルムの一面に前記第１の糊層よりも粘着力の弱い第２の糊層を設け、前記アプリケーションフイルムを前記アンテナパターン及びアンテナ出力端子を覆うように前記セパレータに貼着し、前記アプリケーションフィルムの１つの隅部を前記アプリケーションフイルムが前記セパレータに前記第２の糊層で貼着されないようになし、また前記ベースクリアを前記アンテナパターン及びアンテナ出力端子とほぼ同じ形状に加えて前記第１の隅部に近い位置に舌部を一体に設けた形状とし、前記舌部が前記セパレータに前記第１の糊層で貼着されないように構成しても良い。
【０００７】
そして、前記ベースクリアの前記舌部に近くない位置にある前記アプリケーションフイルムの第２の隅部を、前記アプリケーションフイルムが前記セパレータに前記第２の糊層で貼着されないように構成することもできる。
【０００８】
さらに、前記第２の隅部に近い位置で、前記アプリケーションフイルムが前記トップクリアに前記第２の糊層で貼着されないように構成することも可能である。
【０００９】
また、前記セパレータの一面にシリコン処理を行い、前記シリコン処理した面に前記第１の糊層を設けて構成することもできる。
【００１０】
そしてまた、前記セパレータと前記アプリケーションフイルムが透明のフイルムで形成され、前記第１の隅部に色彩を施して構成することもできる。
【００１１】
また、本発明のアンテナの配設方法は、請求項１記載のアンテナ転写用具を用い、まず前記第１の糊層と前記アンテナパターン及びアンテナ出力端子が前記アプリケーションフイルム側に貼着するようにして前記セパレータから前記アプリケーションフイルムを剥離し、次にアンテナを転写すべき面に前記セパレータから剥離された前記アプリケーションフイルムを押し当てて前記アンテナパターン及びアンテナ出力端子を強く擦って前記第１の糊層で前記転写すべき面に転写させ、さらに前記転写すべき面に前記アンテナパターン及びアンテナ出力端子を前記第１の糊層で貼着させた状態で前記アプリケーションフイルムを前記転写すべき面から剥離してアンテナを配設する。
【発明の効果】
【００１２】
請求項１記載のアンテナ転写用具にあっては、第１の糊層とアンテナパターン及びアンテナ出力端子をアプリケーションフイルム側に移行させるようにして、セパレータからアプリケーションフイルムを剥離し、この剥離したアプリケーションフイルムをアンテナを転写すべき窓ガラスなどの面に押し当てて第１の糊層でアンテナパターン及びアンテナ出力端子を貼着し、さらにアプリケーションフイルムを剥離することで、アンテナパターン及びアンテナ出力端子を簡単かつ容易に窓ガラスなどに転写することができる。そして、窓ガラスなどに転写されたアンテナは、アンテナパターン及びアンテナ出力端子とほぼ同じ形状と大きさのものであり、従来のフイルムアンテナの基台としての透明フイルムのごとくその面積が大きなものでなく、視界を妨げることがない。
【００１３】
また、請求項２記載のアンテナ転写用具にあっては、第２の糊層で貼着されないようにした第１の隅部をつまんでアプリケーションフイルムをセパレータから容易に剥離させることができる。そして、第１の隅部に近い位置に設けたベースクリアの舌部が第１の糊層でセパレータに貼着されないようにしたので、アプリケーションフイルムをセパレータから剥離する際に、この舌部からベースクリアがセパレータから剥離されて確実にアプリケーションフイルム側に移行し得る。もって、セパレータ側にアンテナパターン及びアンテナ出力端子の全部または一部が残存するような不具合が生じない。
【００１４】
そして、請求項３記載のアンテナ転写用具にあっては、ベースクリアの舌部に近くない位置にあるアプリケーションフイルムの第２の隅部が、第２の糊層でセパレータに貼着されないようにしたので、セパレータから剥離されたアプリケーションフイルムを窓ガラスなどに押し当てて上から強く擦って第１の糊層でアンテナパターン及びアンテナ出力端子を窓ガラスなどに貼着させた状態で、第２の隅部からアプリケーションフイルムを剥がす際に、舌部がトップクリアからアプリケーションフイルムを剥離する最初の部分に位置することがなく、舌部によりベースクリアが窓ガラスから剥離するようなことがない。よって、アンテナパターン及びアンテナ出力端子を窓ガラス側に確実に移行させることができる。
【００１５】
さらに、請求項４記載のアンテナ転写用具にあっては、アプリケーションフイルムの第２の隅部に近い位置で、アプリケーションフイルムがトップクリアに第２の糊層で貼着されないようにしたので、アプリケーションフイルムを第２の隅部から剥がす際に、トップクリアのこの第２の糊層で貼着されない部分がトップクリアをアプリケーションフイルムから剥離させる最初の部分に位置させることで、トップクリアがアプリケーションフイルムから確実の剥離される。もって、アンテナパターン及びアンテナ出力端子を窓ガラス側に確実に移行させることができる。
【００１６】
また、請求項５記載のアンテナ転写用具にあっては、セパレータのシリコン処理した面に第１の糊層を設けることで、セパレータに対する第１の糊層の粘着力が弱くなり、アプリケーションフイルムを剥離する際に、粘着力の強い第１の糊層をアプリケーションフイルム側に移行するベースクリア側に確実に移行させることができる。
【００１７】
そしてまた、請求項６記載のアンテナ転写用具にあっては、アプリケーションフイルムの第１の隅部に色彩を施したので、セパレータからアプリケーションフイルムの剥離を始める箇所が明示され、誤った箇所からアプリケーションフイルムが剥離されるようなことがない。
【００１８】
また、請求項７記載のアンテナの配設方法にあっては、請求項１記載のアンテナ転写用具を用いて、容易にアンテナパターン及びアンテナ出力端子を窓ガラスなどに転写して配設することができる。そして、転写されたアンテナパターン及びアンテナ出力端子は、従来のフイルムアンテナなどと比較してその面積が極めて少なく、転写の際に空気を挟み込むで閉じこめる虞がなく、界面活性剤などの塗布を必要としない。また、窓ガラスなどに貼着される面積が小さいので、視界の妨げになることがない。さらに、貼着のための糊がはみ出して塵埃などが付着くして黒い線が生じたとしても、アンテナパターン及びアンテナ出力端子の周囲の近接した位置にあり、アンテナパターン及びアンテナ出力端子の縁と一体化して、特に気になるようなことがない。
【発明を実施するための最良の形態】
【００１９】
以下、本発明の第１実施例を図１ないし図６を参照して説明する。図１は、本発明のアンテナ転写用具の第１実施例の平面図である。図２は、図１のアンテナ転写用具のＡ−Ａ断面部の積層構造を示す図である。図３は、図１のアンテナ転写用具のＢ−Ｂ断面部の積層構造を示す図である。図４は、図１のアンテナ転写用具のＣ−Ｃ断面部の積層構造を示す図である。図５は、図１のアンテナ転写用具のＤ−Ｄ断面部の積層構造を示す図である。図６は、図１のアンテナ転写用具のＥ−Ｅ断面部の積層構造を示す図である。なお、図２ないし図６において、積層構造を明示するために、各層の厚さは実際にものよりかなり厚く図示されている。
【００２０】
まず、図１ないし図６を参照して、本発明のアンテナ転写用具の第１実施例の構造を説明する。透明なフイルム状のセパレータ１０の一面に、シリコン処理１２がなされる。そして、このシリコン処理１２された面に、アンテナパターン１４、１４及びアンテナ出力端子１６、１６とほぼ形状が同じで若干大きめに第１の糊層１８が設けられる。さらに、この第１の糊層１８上に、絶縁材からなる透明なベースクリア２０がほぼ同じ形状に積層される。そしてさらに、このベースクリア２０の上に、導電薄膜からなるアンテナパターン１４、１４及びアンテナ出力端子１６、１６が形成される。さらにまた、このアンテナパターン１４、１４を覆うように絶縁材からなる透明なトップクリア２２が積層される。なお、トップクリア２２は、アンテナ出力端子１６、１６を覆うことがなく、それ以外の部分ではほぼベースクリア２０と同じ形状である。さらにそして、透明なアプリケーションフイルム２４の一面のほぼ全面に、第１の糊層１８より弱い粘着力の第２の糊層２６が設けられ、このアプリケーションフイルム２４がアンテナパターン１４、１４及びアンテナ出力端子１６、１６を覆うようにセパレータ１０の全面に第２の糊層２６で貼着される。ここで、ベースクリア２０は、アンテナパターン１４、１４及びアンテナ出力端子１６、１６の基台としての作用と、第１の糊層１８上に導電薄膜によるアンテナパターン１４、１４及びアンテナ出力端子１６、１６を形成し易くするためのものである。また、トップクリア２２は、アンテナパターン１４、１４の酸化による変色及び他のものによる摩擦により破損を防止するとともに、表面の平滑性を高めて第２の糊層２６によりアプリケーションフイルム２４側へ貼着され易くするものである。
【００２１】
さらに、セパレータ１０に貼着されたアプリケーションフイルム２４は、一辺の縁に沿ってスリット２８が切り込まれる。しかも、スリット２８の一端側で、アプリケーションフイルム２４の第１の隅部３０は、第２の糊層２６が設けられておらず、セパレータ１０に貼着されない部分が設けら、またこの第１の隅部３０に臨んでアプリケーションフイルム２４に黒の色彩が施されている。また、ベースクリア２０には、アンテナパターン１４、１４及びアンテナ出力端子１６、１６とほぼ同じ形状に加えて、アプリケーションフイルム２４の第１の隅部３０に近い位置に舌部３２が一体に形成される。しかも、この舌部３２とセパレータ１０との間には、第１の糊層１８が設けられておらず、舌部３２はセパレータ１０に貼着されない。そしてまた、舌部３２から近くない位置、例えばアプリケーションフイルム２４の第１の隅部３０と対角線上にある第２の隅部３４でも、第１の隅部３０と同様に第２の糊層２６が設けられておらず、セパレータ１０にアプリケーションフイルム２４が貼着されない部分が設けられ、またこの第２の隅部３４に臨んでアプリケーションフイルム２４に黒色の色彩が施されている。そしてさらに、第２の隅部３４に近い位置で、トップクリア２２とアプリケーションフイルム２４の間で第２の糊層２６が設けられていない部分３６、３６が設けられ、この部分３６、３６でトップクリア２２はアプリケーションフイルム２４に貼着されない。
【００２２】
次に、かかる構成のアンテナ転写用具によるアンテナの転写方法を以下説明する。まず、第２の糊層２６が設けられていない第１の隅部３０でアプリケーションフイルム２４をセパレータ１０から捲り、図１の矢印Ｐ方向に剥がす。すると、第１の隅部３０に近い位置にある舌部３２にまで剥離された部分が至り、この舌部３２がセパレータ１０に貼着されていないために、舌部３２がアプリケーションフイルム２４に第２の糊層で貼着された状況であり、これと一体のベースクリア２０がアプリケーションフイルム２４側に移行して剥離される。この際、第１の糊層１８は、シリコン処理１２された面に配設されているので、セパレータ１０に対する粘着力が弱く、ベースクリア２０側に移行する。このようにしてセパレータ１０から剥離されたアプリケーション２４側には、全てのアンテナパターン１４、１４及びアンテナ出力端子１６、１６が確実に移行されている。そして、車両の清浄にした窓ガラスの面の周縁部などに、セパレータ１０から剥離したこのアプリケーションフイルム２４を強く押し当て、他面側から棒などでアンテナパターン１４、１４およびアンテナ出力端子１６、１６を強く押しつけるように擦って、第１の糊層１８でベースパターン２０を窓ガラスなどに貼着させる。さらに、第２の糊層２６が設けられていない第２の隅部３４からアプリケーションフイルム２４を窓ガラスなどから捲り、図１の矢印Ｑ方向に剥がす。すると、第２の隅部３４に近い位置にあるトップクリア２２の第２の糊層２６が設けられていない部分３６、３６に剥離された部分が至り、トップクリア２２がこの部分から確実にアプリケーションフイルム２４から剥離されて窓ガラスなどに貼着された状態となる。そして、引き続きアプリケーションフイルム２４を窓ガラスなどから剥がすと、部分３６、３６からトップクリア２２のアプリケーションフイルム２４からの剥がれが拡大し、全てのトップクリア２２が窓ガラスなどに貼着された状態で、アプリケーションフイルム２４の剥離が完了する。もって、アンテナパターン１４、１４及びアンテナ出力端子１６、１６が、ほぼ同じ形状のベースクリア２０及びトップクリア２２とともに窓ガラスなどに転写される。従来のフイルムアンテナの広い面積の透明フイルムを貼着するごとき不具合を、本発明のアンテナ転写用具を用いて転写されたアンテナは生じない。なお、アンテナ出力端子１６、１６上にはトップクリア２２が配設されていないので、従来のフイルムアンテナと同様に適宜に接続端子を当接固定して、電気的接続を図れることは勿論である。
【００２３】
ところで、セパレータ１０よりアプリケーションフイルム２４を剥離する際に、図１の矢印Ｒ方向に剥がす場合が多いと想定される。そこで、仮に一点差線で示されるごとくアンテナパターン４４にＲ方向に対して直交方向に配設された部分があると、剥離の際にこの部分でアプリケーションフイルム２４側に円滑に移行できず、セパレータ１０側に残存しようとする力によりパターンが切断される虞がある。かかる不具合を回避すべく、第１実施例にあっては、適宜な曲線部１４ａを設けることでＲ方向に対して直交方向に配設されるパターンを少なくしまたは無くすようにしてある。なお、図１の矢印Ｓ方向に確実に剥がされるならば、Ｒ方向に対して直交方向に配設されるパターンがあっても、Ｓ方向に対しては直交方向とならないので、パターンが切断される虞はより低いものとなり、曲線部１４ａを設ける必要がない。なお、曲線部１４ａに代えて、Ｒ方向に対して斜めの斜線部で形成しても同様の効果が得られる。
【００２４】
次に、本発明の第２実施例を図７ないし図９を参照して説明する。図７は、本発明のアンテナ転写用具の第２実施例において、図１で示すＢ−Ｂ断面部の積層構造を示す図である。図８は、第２実施例で図１のＤ−Ｄ断面部の積層構造を示す図である。図９は、第２実施例で図１のＥ−Ｅ断面部の積層構造を示す図である。なお、図７ないし図９において、図１ないし図６に示す部材と同じまたは均等なものには同じ符号を付けて重複する説明を省略する。
【００２５】
第２実施例において、第１実施例と相違するところは、第１の糊層１８及び第２の糊層２６で貼着させない部分の構造にある。図７に示すごとく、第１の隅部３０に臨んで、セパレータ１０のシリコン処理１２された面とアプリケーションフイルム２４の第２の糊層２６の間に、適宜に印刷などにより分離用の膜５０が配設される。この膜５０は、第２の糊層２６に貼着されるが、セパレータ１０側には貼着されない。この第１の隅部３０の積層構造が、第２の隅部３４でも採用されている。また、ベースクリア２０の舌部３２に臨んで、セパレータ１０のシリコン処理１２された面と第１の糊層１８の間に適宜に印刷などにより分離用の膜５２が配設される。この膜５２は、第１の糊層２８に貼着されるが、セパレータ１０側には貼着されない。そして、第２の隅部３４に近い位置でトップクリア２２とアプリケーションフイルム２４の第２の糊層２６の間に、適宜に印刷などにより分離用の膜５４が配設される。この膜５４は、第２の糊層２６に貼着されるが、トップクリア２２は貼着されない。
【００２６】
かかる積層構造の第２実施例にあっても、第１実施例と同様に、アンテナエレメント１４、１４及びアンテナ出力端子１６、１６が、セパレータ１０からアプリケーションフイルム２４側に確実に移行するとともに、さらには窓ガラスなどに確実に転写するることができる。
【００２７】
なお、上記実施例において、第１の隅部３０と舌部３２及び第２の隅部３４に設けた色彩は、黒色に限られず、他の色彩であっても良い。そして、セパレータ１０やトップクリア２２側に色彩が施されていても良い。また、セパレータ１０及びアプリケーションフイルム２４は、透明なものでなくても良い。アプリケーションフイルム２４が透明であれば、アンテナパターン１４、１４及びアンテナ出力端子１６、１６の配設位置が転写する際に目視できて、転写作業するのに便利である。そこで、アプリケーションフイルム２４の裏面（セパレータ１０に貼着されるのとは反対側の面）に、アンテナパターン１４、１４及びアンテナ出力端子１６、１６に対応する位置にその形状を図形などによって表示するのであれば、この表示によってアンテナパターン１４、１４及びアンテナ出力端子１６、１６の位置を充分に認識でき、アプリケーションフイルム２４が透明でなくても良い。そして、アンテナパターン１４、１４及びアンテナ出力端子１６、１６の形状は、上記実施例に限定されるものでないことは勿論である。
【図面の簡単な説明】
【００２８】
【図１】本発明のアンテナ転写用具の第１実施例の平面図である。
【図２】図１のアンテナ転写用具のＡ−Ａ断面部の積層構造を示す図である。
【図３】図１のアンテナ転写用具のＢ−Ｂ断面部の積層構造を示す図である。
【図４】図１のアンテナ転写用具のＣ−Ｃ断面部の積層構造を示す図である。
【図５】図１のアンテナ転写用具のＤ−Ｄ断面部の積層構造を示す図である。
【図６】図１のアンテナ転写用具のＥ−Ｅ断面部の積層構造を示す図である。
【図７】本発明のアンテナ転写用具の第２実施例において、図１で示すＢ−Ｂ断面部の積層構造を示す図である。
【図８】第２実施例で図１のＤ−Ｄ断面部の積層構造を示す図である。
【図９】第２実施例で図１のＥ−Ｅ断面部の積層構造を示す図である。
【符号の説明】
【００２９】
１０  セパレータ
１２  シリコン処理
１４、４４  アンテナパターン
１４ａ  曲線部
１６  アンテナ出力端子
１８  第１の糊層
２０  ベースクリア
２２  トップクリア
２４  アプリケーションフイルム
２６  第２の糊層
２８  スリット
３０  第１の隅部
３２  舌部
３４  第２の隅部
３６  第２の糊層が設けられていない部分
５０、５２、５４  分離用の膜
【図１】
2006157325.tif 000003
【図２】
2006157325.tif 000004
【図３】
2006157325.tif 000005
【図４】
2006157325.tif 000006
【図５】
2006157325.tif 000007
【図６】
2006157325.tif 000008
【図７】
2006157325.tif 000009
【図８】
2006157325.tif 000010
【図９】
2006157325.tif 000011